(57)【要約】【課題】寝具の購入に当たっては敷寝具，掛寝具，枕等の各部分部分の特徴を数値化し、各寝具の綜合評価値を決定しておくことにより、爾後、寝具の購入等の際にその綜合評価値を介して購入者も販売者も取引することで希望商品を容易に見出し得るようにすること、及び数値化した綜合評価値を数字及び又はアルファベット1文字で序列表示をして容易に認識できるようにした。【解決手段】就寝者の身体特性と寝具の特性とを勘案して寝具選定を行う際に、身体と寝具の評価項目の評価条件ごとに決められている係数の、集計に基づく綜合評価値を得、あらかじめ綜合評価値が求められている係数の、商品の中から同等の綜合評価値を有する商品を選択する。【選択図】図１
2007125293.tif 000002
【特許請求の範囲】
【請求項１】
就寝者の身体特性と寝具の特性とを勘案して寝具選定を行う際に、身体と寝具の評価項目の評価条件ごとに定められている係数の、集計に基づく綜合評価値を得、あらかじめ綜合評価値が求められている複数の、商品の中から同等の綜合評価値を有する商品を選択することを特徴とする寝具選定方法。
【請求項２】
寝具は、敷寝具、及び又は掛寝具及び又は枕である請求項１に記載の寝具選定方法。
【請求項３】
敷寝具の評価項目は、使用者の性別（Ｓ），ＢＭＩ値（ＢＭＩｉｘ）、マットレスの硬軟（Ｍａ），うつ伏せ等の寝方好み（Ｌｉ）、だるさの感覚（Ｓｉ）であり、敷寝具の綜合評価値Ｓｓは、次式により算出することを特徴とする請求項１に記載の寝具選定方法。
Ｓｓ＝Ｓ＋ＢＭＩｉｘ＋（Ｍａ＋Ｌｉ＋Ｓｉ）÷３
【請求項４】
掛寝具の評価項目は、体感個性（暑がり・寒がり）（Ｔ）、布団のボリューム（Ｆ）、住居環境（ｗ）通気環境（ｘ）空調環境（ｙ）地域性（ｚ）であり、掛寝具の綜合評価値Ｓｋは、次式により算出することを特徴とする請求項１に記載の寝具選定方法。
Ｓｋ＝Ｔ＋Ｆ＋（ｗ＋ｘ＋ｙ＋ｚ）÷４
【請求項５】
敷寝具及び、掛寝具の綜合評価値は、０乃至９の数字１文字及び又はアルファベットの１文字であることを特徴とする請求項３又は請求項４のいずれか１に記載の寝具選定方法。
【請求項６】
枕の評価項目は、枕の高さ及び固さである請求項１に記載の寝具選定方法。
【請求項７】
スリープコンフォートナンバーは、敷寝具及び又は掛布団の綜合評価値、及び又は枕の序列表示を列記したことを特徴とする請求項１に記載の寝具選定方法。 
【発明の詳細な説明】
【技術分野】
【０００１】
本発明は、敷寝具，掛寝具，枕等の寝具を購入する際に、各寝具と寝具使用者の特徴及び寝具使用者の嗜好等とを加味して寝具を評価することの出来る寝具選定方法に関する。
【背景技術】
【０００２】
垂直歩行する人も、就寝中に横になって眠る。通常、人は敷寝具の上に横たわり、掛寝具で身体を包み込み体温調節しつつ眠る。また、横になったとき、頭，首，肩の周辺の隙間を埋める目的で枕を使用する。寝具が身体にフィットするか否かは快適な睡眠とも関係が深く、昨今の快眠志向の強まりと共に、自分にマッチした寝具選定は重要である。一方、快適に眠るために様々な寝具が考案され、保温性の良い羽毛掛布団（特許文献１参照），体圧分散に優れた敷布団（特許文献２参照），自分の体型にフィットする枕（特許文献３参照）など様々な寝具が提案されている。
【０００３】
掛寝具と敷寝具の間に入る人の身体と寝具との間にできる空間の温度、湿度は寝床内気象（もしくは、寝床内気候）と呼ばれている。
掛け寝具では、保温性が大切であり、敷寝具は就寝中身体を支えかつ身体を包み固定する作用も必要でクッション性の程度が重要であり、枕に頭部を支えると同時に肩或いは首周囲から外気が寝床内に入るのを防ぐことにもなり、寝床内気象は、寝室内の温湿度により左右されることは勿論であるが、寝具の保温性等前記の寝具の有する機能より寝床内気象が定まることになる。寝床内気象は寝具材料の保温性、吸放湿性と関連し、更に、各人の好みに適した寝具を得るのはなかなか困難である。
【特許文献１】特開２００２−８５２０８号公報
【特許文献２】特開２０００−２７０８１７号公報
【特許文献３】特開２００５−１３７５９７号公報
【発明の開示】
【発明が解決しようとする課題】
【０００４】
就寝者の体型及び使用する寝具の好み等は、各自それぞれ特有のものである。そのため、寝具の購入者に当たっては目的の希望商品を選択するのに購入対象を容易に確定することが出来ず、困難を来たすことも生ずる。そこで、敷寝具，掛寝具，枕等の各部分部分の特徴を数値化し、各寝具の綜合評価値を決定しておくことにより、爾後、寝具の購入等の際にその綜合評価値を介して購入者も販売者も取引することで希望商品を容易に見出し得るようにすること、及び数値化した綜合評価値を数字及び又はアルファベット1文字で序列表示をして容易に認識できるようにした。
【課題を解決するための手段】
【０００５】
請求項１記載の発明は寝具選定方法であって、就寝者の身体特性と寝具の特性とを勘案して寝具選定を行う際に、身体と寝具の評価項目の評価条件ごとに定められている係数の、集計に基づく綜合評価値を得、あらかじめ綜合評価値が求められている複数の、商品の中から同等の綜合評価値を有する商品を選択することを特徴とする。
請求項２記載の発明は、請求項１に記載の寝具選定方法であって、寝具は、敷寝具、及び又は掛寝具及び又は枕である。
請求項３記載の発明は、請求項１に記載の寝具選定方法であって、敷寝具の評価項目は、使用者の性別（Ｓ），ＢＭＩ値（ＢＭＩｉｘ）、マットレスの硬軟（Ｍａ），うつ伏せ等の寝方好み（Ｌｉ）、だるさの感覚（Ｓｉ）であり、敷寝具の綜合評価値Ｓｓは、次式により算出することを特徴とする。
Ｓｓ＝Ｓ＋ＢＭＩｉｘ＋（Ｍａ＋Ｌｉ＋Ｓｉ）÷３
請求項４記載の発明は、請求項１に記載の寝具選定方法であって、掛寝具の評価項目は、体感個性（暑がり・寒がり）（Ｔ）、布団のボリューム（Ｆ）、住居環境（ｗ）通気環境（ｘ）空調環境（ｙ）地域性（ｚ）であり、掛寝具の綜合評価値Ｓｋは、次式により算出することを特徴とする。
Ｓｋ＝Ｔ＋Ｆ＋（ｗ＋ｘ＋ｙ＋ｚ）÷４
請求項５記載の発明は、請求項３又は請求項４のいずれか１に記載の寝具選定方法であって敷寝具及び、掛寝具の綜合評価値は、０乃至９の数字１文字及び又はアルファベットの１文字であることを特徴とする。
請求項６記載の発明は、請求項１に記載の寝具選定方法であって、枕の評価項目は、枕の高さ及び固さであることを特徴とする。
請求項７記載の発明は、請求項１に記載の寝具選定方法であって、スリープコンフォートナンバーは、敷寝具及び又は掛布団の綜合評価値、及び又は枕の序列表示を列記したことを特徴とする。
【発明の効果】
【０００６】
敷き寝具，掛け寝具，枕等の各部分部分及び使用者の身体的な特徴等を評価項目として評価結果を数値化し、各寝具の綜合評価値を決定しておくことにより、爾後、寝具の購入者も販売者も取引きの際に綜合評価値を開示することで希望商品を容易に見出すことが出来る。
綜合評価値は数字及び又はアルファベット一文字で序列表示してあるために掛寝具，敷寝具，枕等３種の商品を表示したとしても３文字しか要せず、桁数が多くなることによる困惑，誤認等が生ずることもない。
【発明を実施するための最良の形態】
【０００７】
本発明は、就寝時使用する寝具、詳しくは敷寝具、掛寝具、枕等を使用者嗜好性に合致させて選ぶことのできるよう、複数の評価条件を持ち、前記各評価条件ごとに固さ係数又は保温係数が決められている寝具ごとの複数の評価項目の、前記固さ係数および保温係数を総合する事によって、使用者に最も適している寝具を指標する綜合評価ナンバーを得、使用者は、その綜合評価ナンバーにより使用者の望みに最も適した寝具の種類を知り、それを選ぶことが出来、販売者は、綜合評価ナンバーを客から示されれば、容易に当該購入希望者の身体的特徴及び又は嗜好を把握し、商品を紹介することができる。
【０００８】
次にその詳細を説明する。
敷布団の場合、その特徴を表示する評価項目として、身体的個性に関する性別（Ｓ）、ＢＭＩ値（ＢＭＩｉｘ）、マットレス好み（Ｍａ）、及び身体的嗜好性に関する寝方好み（Ｌｉ）、起床時に腰や膝にだるさを感じるか（Ｓｉ）などがある。そして、前記各評価項目はそれぞれ複数の評価条件に分けられ、評価条件ごと固さ係数が決められている。
その例を、評価項目の性別（Ｓ）に見ると、性別（Ｓ）は評価条件が男性と女性に分かれ、それぞれ男性は１、女性は０の固さ係数が付されている。ＢＭＩ値は、男性女性の区別はなく、共に、１８未満、１８以上２０未満、２０以上２２未満、２２以上２４未満、２４以上２６未満、２６以上２８未満、２８以上３０未満、３０以上の８ランクに分かれ、各ランクは０〜７の固さ係数が付されている。
上記のごとき敷布団についての評価項目、評価条件、固さ係数の一覧を表１に示す。
【０００９】
【表１】
2007125293.tif 000003
上記表１中のＢＭＩ値は体格指数であって、次式１で表される。
ＢＭＩ＝体重÷（身長（メートル）×身長）…………….（１）
上記表１によって選択された５項目の評価項目の固さ係数を次式２に代入することにより、敷布団の総合評価値Ｓｓを算出する。
Ｓｓ＝Ｓ＋ＢＭＩｉｘ＋（Ｍａ＋Ｌｉ＋Ｓｉ）÷３…………………….（２）
【００１０】
例えば、男性であって、ＢＭＩ値が２０〜２２、硬めのマットレスが好みで、仰向け寝を好み、起床時に肩や腰にだるさを感じない者は、前記各評価項目の固さ係数が、Ｓ＝１、ＢＭＩ＝２、Ｍａ＝４、Ｌｉ＝１、Ｓｉ＝０であるから、その値を式２に代入し、Ｍａ、Ｌｉ、Ｓｉの平均値を四捨五入すると敷布団の綜合評価ナンバーＳｓは５となる。
綜合評価ナンバーＳｓに対応した敷布団を見出すには図１に示す綜合評価ナンバー敷布団早見表を用いる。同表は、中央に綜合評価ナンバーＳｓが、その両側に同ナンバーに対応する敷布団の種類名が素材別、或いは形態別に各種示されている。例えば、綜合評価ナンバー０から３の範囲にはマットレスＡ１０００、ＢフォームＥＸ、が、ナンバー０から４までの範囲には、羊毛ソフト、二層構造ソフト，ＣＢソフトが、１から４までの範囲には、Ｂフォームナチュラルデラックスが１から５までの範囲には、ウレタンフォームレギュラーが、２から６までの範囲には、ＣＢミドルが、３から７までの範囲には、プロファイルレギュラーとＢフォームナチュラルが、３から９までの範囲には、ＣＢトリプルが、５から９までの範囲には、二層構造レギュラー、羊毛ハード、ＣＢハードが、５からＹまでの範囲には、ウレタンフォームデラックスが、７からＸまでの範囲には、マットレスＡ２０００が、８からＹまでの範囲にはプロファイルハード、マットレスＡ３０００が記載されている。
【００１１】
上記において、マットレスＡ１０００は、ポケットコイルスプリングをベースにし、備長炭わた＋抗菌防臭・防ダニわた及び両面に羽毛を入れたピロートップタイプで、２０００は、備長炭わた＋抗菌防臭・防ダニわたにポリエステルわた、３０００は、備長炭わた＋抗菌防臭・防ダニわたのみ、コイルは全て同様で詰め物を上述の如く変えて固さの変化を出したもの。
【００１２】
Ｂフォームデラックスは、５．５インチポケットコイルスプリングをベースにし、６０ｍｍの低反発ウレタンフォームを入れた柔らかいタイプで、ＥＸは、６．５インチポケットコイルスプリングをベースにし、３０ｍｍの低反発ウレタンフォームを入れたＤＸよりやや柔らかいタイプ。
【００１３】
ＣＢは、固さの異なる３タイプのコイルスプリングを好みに合わせて選べる機能を有したスプリングベッドマットレスで、ソフト、ミドル、ハードタイプがあり、それぞれ固さが異なり、トリプルタイプは、頭の部分から脚に向けて順にミドル・ハード・ソフトと組み合わされたマットレス。
【００１４】
ウレタンフォームは、中芯が良質のウレタンフォームで、その構造は、独自の工夫がこらされており、体圧分散や、寝姿勢保持、寝床内気象の適正化を高め、敷布団に求められる機能をより効率的発揮する。レギュラータイプとデラックスタイプの違いは、ウレタンの密度を変えることによって固さを変えている。レギュラータイプに較べ、デラックスタイプは固めである。
【００１５】
プロファイルは、ウレタンを凸凹にプロファイル加工した敷布団で、その構造により血行を妨げにくくしてある。レギュラーとアコハードの違いは固さの違い。
二層構造は、上層部が低反発ウレタンで、下層部が凸凹構造の固わた。この二重構造が体圧を分散し、血行を妨げにくくなる。ソフトタイプとレギュラータイプの違いは、整圧と同様、固さだけの違い。
羊毛は、中綿に羊毛の固綿を挿入している一般的な敷布団。ソフトタイプには固綿そのものを入れずに、ソフトな綿のまま使用しているものもある。ハードタイプは、フェルト状の羊毛固綿が入れてある。
そして、自己の希望するタイプの敷布団の綜合評価ナンバーと対応する商品を早見表から選んで決定するれば良い。
【００１６】
掛布団の場合、その特徴を表示する評価項目として、体感個性に関する温感（Ｔ），布団のボリューム感に対する好み（Ｆ），住居環境に関する住居形態（ｗ），通気環境に関する風通し（ｘ），空調環境（冬季）に関して空調（ｙ），地域性に関して（ｚ）などがある。
【００１７】
そして、前記各評価項目はそれぞれ複数の評価条件に分けられ評価条件ごとに保温係数が決められている。
その例を評価項目の温感（Ｔ）に見ると温感（Ｔ）は、評価条件が暑がり，普通，寒がりに分かれ、それぞれ２，３，４の保温係数が付されている。ボリューム感に対する好み（Ｆ）は厚め，普通，薄めに分かれ、それぞれ３，２，１の保温係数が付されている。
上記の如き掛布団についての評価項目，評価条件，保温係数の一覧を表２に示す。
【００１８】
【表２】
2007125293.tif 000004
【００１９】
上記表２によって選択された６項目の評価項目の保温係数を次式３に代入することにより、掛け布団の綜合評価値Ｓｋを算出する。
Ｓｋ＝Ｔ＋Ｆ＋（ｗ＋ｘ＋ｙ＋ｚ）÷４…………（３）
例えば温感（Ｔ）が寒がりで、ボリューム感（Ｆ）は厚めで住居環境の形態（ｗ）は一戸建で通気環境の風通し（ｘ）は悪く、空調環境（ｙ）はタイマーを使用しており住居地（ｚ）は南関東であるとすると、前記各評価項目の保温係数Ｔ＝４，Ｆ＝３，ｗ＝２，ｘ＝０，ｙ＝１，ｚ＝１であるからその評価を式３に代入しｗ，ｘ，ｙ，ｚの平均値は切り上げると掛布団綜合評価値ナンバーＳｋは８となる。
【００２０】
綜合評価ナンバーＳｋに対応する掛布団を見出すには図２に示す綜合評価ナンバー掛布団早見表を用いる。同表は中央に綜合評価ナンバーＳｋがその両側に同ナンバーに対応する掛布団の種類が素材別に各種示されている。例えば、綜合評価ナンバー０から１の範囲には、綿毛布タオルケットが、ナンバー１から２には真綿肌掛が、ナンバー２から３には羽毛肌掛が、ナンバー３から５には真綿布団が、ナンバー４から６には羽毛合掛が、ナンバー６から８には合繊わた布団が、ナンバー７から８には羊毛掛布団が、ナンバー７から９には羽毛布団がそれぞれ記載されている。
【００２１】
そして、自己の希望するタイプの掛布団の綜合評価ナンバーと対応する商品を早見表から選んで決定すれば良い。
枕の場合、その特徴を表示する評価項目として、枕の硬さと枕の高さとがある。そして、それぞれ評価条件として硬めＡ，普通Ｂ，柔らかめＣと高め３，普通２，低め１とがある。この評価条件ごとに枕の商品種別を明示したのが図３に示す枕対応表である。このように、枕の評価条件の組み合わせは９通りとなり、その組み合わせＡ−１，Ａ−２，……Ｃ−２，Ｃ−３に順次Ａ，Ｂ，……Ｈ，Ｉと序列表示をしておく。これは例えば硬目で普通の高さの枕を使用したい者はＡ−２を選択することになるが、Ａ−２のランクには別途上記の如き序列表示がされているので当該枕の表記はＢを用いるのが好ましい。
【００２２】
前記した敷布団の例の場合、綜合評価値は５であり、掛布団の例の場合は８であり、枕の例の場合Ｂであるので、これらを綜合して表示す場合、掛布団の綜合評価値８を、次に敷布団の綜合評価値５に記しハイフォンを付した最後に枕の序列表示Ｂを連記し８７−Ｂと表示する。この表示をスリープコンフォートナンバーと称する。
【００２３】
スリープコンフォートナンバーは自己の最も好みに適した寝具の種類を表示するものであるために、それを記憶しておけば何時如何なるときでも直ちに最適の寝具を選び出すことが可能となる。
スリープコンフォートナンバーは、冗長となっては誤認誤記憶の原因ともなるので、上記の如く各構成寝具のそれぞれの綜合評価の価を１桁としている。もし必要があって、桁数を増加しなければならない際には、数字表記をアルファペット表記とすれば良い。
【図面の簡単な説明】
【００２４】
【図１】敷布団綜合評価ナンバー早見表。
【図２】掛布団綜合評価ナンバー早見表。
【図３】Ａは枕評価条件の対応表、Ｂは枕のナンバー対応表。
【符号の説明】
【００２５】
１００  敷き布団綜合評価ナンバー早見表
２００  掛け布団綜合評価ナンバー早見表
３００  枕評価条件の対応表
【図１】
2007125293.tif 000005
【図２】
2007125293.tif 000006
【図３】
2007125293.tif 000007